(57)【特許請求の範囲】
【請求項１】
インライン配置の３本の電子銃を有するカラー受像管に装着されるコイルボビンと、前記コイルボビンに設けられ、前記カラー受像管のネック部から発せられる電子ビームを偏向する磁界を発生する水平偏向コイルおよび垂直偏向コイルとからなる偏向ヨークであって、前記コイルボビンのネック部側に上、下位置に一対の補正コイル装置を設け、各補正コイル装置は上、下に対向して配設された第１、第２のコ字状磁性片の第１のコ字状磁性片に巻回された第１、第３の補正コイルと前記第１、第３の補正コイルと上、下に対向するように前記第２のコ字状磁性片に巻回された第２、第４の補正コイルを備え、前記第１、第２の補正コイルを直列接続し、また前記第３、第４の補正コイルを直列接続し、前記第１、第２の補正コイルの直列接続の一方端には正、負のうちの一方の垂直偏向電流の流れのみを許すダイオードを介して第１の可変抵抗器の一方端と接続し、また前記第３、第４の補正コイルの直列接続の一方端にも正、負のうちの他方の垂直偏向電流の流れのみを許すダイオードを介して前記第１の可変抵抗器の前記一方端と接続し、前記第１の可変抵抗器の他方端は前記垂直偏向コイルと接続し、また前記第１、第２の補正コイルの直列接続と前記第３、第４の補正コイルの直列接続の各々のダイオード接続点の間に第２の可変抵抗器を配設し、その可変端子は抵抗を介して前記垂直偏向コイルと接続し、また前記第１、第２の補正コイルの直列接続と前記第３、第４の補正コイルの直列接続を並列に配設した他方の接続点と前記垂直偏向コイルの間にインダクターコイルと抵抗を直列に配設したことを特徴とする偏向ヨーク。
【請求項２】
前記第１の可変抵抗器により前記第１、第２の補正コイルおよび前記第３、第４の補正コイルに流れる正、負の垂直偏向電流を可変し、画面上下端Ｒｅｄ，Ｂｌｕｅ縦線の横方向のコンバーゼンスのズレを調整し、また前記第２の可変抵抗器により前記第１、第２の補正コイル、および前記第３、第４の補正コイルに流れる垂直偏向電流を差動的に可変し、画面Ｒｅｄ，Ｂｌｕｅ縦線の交差状のコンバーゼンスのズレを調整できるようにしたことを特徴とする請求項１記載の偏向ヨーク。
【発明の詳細な説明】
【０００１】
【発明の属する技術分野】
本発明は、インライン配置の３本の電子銃から発射される電子ビームの動集中が、各々一対の水平、垂直偏向コイルによる偏向磁界で自動的に行われるセルフコンバーゼンス方式カラー受像管に装着し使用される偏向ヨークに関するものである。
【０００２】
【従来の技術】
一般にセルフコンバーゼンス方式のカラー受像管に装着される偏向ヨークにおいては、その組立精度、また装着されるカラー受像管との相性により種々のミスコンバーゼンスが発生する。図５は従来のＹＨミスコンを示す図、図６は従来のＹＨクロスミスコンを示す図である。その中で、特に垂直偏向における縦線の赤色発光系電子ビーム（以下赤ビームと呼ぶ）Ｒと、青色発光系電子ビーム（以下青ビームと呼ぶ）Ｂとの間で生じる横方向のミスコンバーゼンスにおいて、図５の（ａ），（ｂ）に示すように画面上、下で同方向のコンバーゼンスのズレ（以下ＹＨミスコンと呼ぶ）と、図６の（ａ），（ｂ）に示すように、画面上、下で逆方向の交差状のコンバーゼンスのズレ（以下ＹＨクロスミスコンと呼ぶ）が修正が必要である。従来このような前記ＹＨミスコンとＹＨクロスミスコンを補正する手段として、偏向ヨークのコイルボビンのネック部に、一対の補正コイルを配設し、その発生する磁界でＹＨミスコン、およびＹＨクロスミスコンを補正するものがある。
【０００３】
図７（ａ）にそのようなＹＨミスコン、ＹＨクロスミスコンを補正する手段を備えた従来の偏向ヨークの回路図、図７（ｂ）に同補正コイル図を示す。図７（ａ）において、２個のコイルで構成される垂直偏向コイル４ａ，４ｂは互いに直列に接続されている。これらの両端には、抵抗１０ａ，１０ｂの直列回路が並列に接続されている。さらに、垂直偏向コイル４ｂと抵抗１０ｂの接続点からは、可変抵抗器２０と正、負のうちの一方の垂直偏向電流の流れのみを許すダイオード４０と補正コイル３０ａ，３０ｂを直列に接続したもの、また可変抵抗器２１と正、負のうちの他方の垂直偏向電流の流れのみを許すダイオード４１と補正コイル３１ａ，３１ｂを直列に接続したもの、またバイパス抵抗１１、前記各々を並列に接続したものが接続されている。
【０００４】
また図７（ｂ）に示すように補正コイル３０ａ，３０ｂおよび補正コイル３１ａ，３１ｂは上下に対向する一対の磁性片６０に同時に巻線され、画面上側では補正コイル３０ａ，３１ｂが、画面下側では補正コイル３１ａ，３１ｂが動作し、各々同方向の磁界を発生するように配線されている。
【０００５】
図８は従来の垂直偏向回路に流れる電流波形図、図９は従来のＹＨワレミスコンを示す説明図、図１０は従来のダイオードがＯＮしない部分を示す説明図、図１１は従来の８の字状クロスミスコンを示す説明図である。前記のような構成の回路において、図８のａ部の実線部分に示すように画面上側に変更する電流が流れる場合、ダイオード４０の両端電圧がそのしきい値に達すると、ダイオード４０がＯＮし補正コイル３０ａ，３０ｂに電流が流れる。その時、可変抵抗器２０の可変端子の位置を垂直偏向コイル側、つまりその抵抗値が大きくなる方向に移動させると、補正コイル３０ａ，３０ｂに流れる電流が小さくなり、垂直偏向コイル本体のＹＨミスコンが出現し、画面上側のＹＨミスコンは図５（ａ）のような赤ビームが青ビームに対して左側にずれるミスコン（以下、ＹＨピンミスコンと呼ぶ）となる。また逆に、可変抵抗器２０の可変端子の位置をダイオード４０側、つまりその抵抗値が小さくなる方向に移動させると、補正コイル３０ａ，３０ｂに流れる電流が大きくなり、垂直偏向コイル本体のＹＨミスコンが補正され画面上側のＹＨミスコンは図５（ｂ）のような赤ビームが青ビームに対して右側にずれるミスコン（以下、ＹＨバレルミスコンと呼ぶ）となる。
【０００６】
また前記とは逆に、図８のｂ部の点線部分に示すような画面下側に偏向する電流が流れる場合は、ダイオード４１がＯＮし、可変抵抗器２１の操作により、前記同様に画面下側のＹＨミスコンを調整することができる。このように、従来の方法はＹＨミスコン、ＹＨクロスミスコンを画面上側、下側で各々独立して調整する方法であった。
【０００７】
【発明が解決しようとする課題】
しかしながら、上記したような従来のＹＨミスコン、ＹＨクロスミスコンを補正する手段を備えた偏向ヨークでは、画面上側最上端の局部的なＹＨワレミスコン、および画面縦線赤ビーム、青ビームの８の字状ミスコンを発生させるという問題があった。
【０００８】
例えば、図８のｃ部に示すように、画面上側の最上端部は垂直偏向電流のリトレース期間の終点に位置しており、このリトレース期間の急激な電流変化のなかで図７（ａ）のダイオード４０はＯＮし、補正コイル３０ａ，３０ｂに電流が流れるが、補正コイル３０ａ，３０ｂの構成するインダクタンスと、バイパス抵抗１１によるＲ−Ｌ並列回路の過渡応答により、時定数の大きいインダクタンス側、即ち補正コイル３０ａ，３０ｂに電流が流れにくくなり、図９に示すように画面上側の最上端部のＹＨが補正されない現象、いわゆるＹＨワレミスコンが発生する。
【０００９】
また、画面上側、下側各々の独立補正を行うためにダイオードで垂直偏向電流を整流しているため、その特性上図１０に示すように、ダイオードがＯＮしない、いわゆる画面上で補正の効かない部分が発生する。これは、図６の（ａ），（ｂ）に示すようなＹＨクロスミスコンの量が大きい場合、その部分は補正されず図１１（ａ），（ｂ）に示すように画面中間部分にミスコンの残ったいわゆる８の字状のクロスミスコンとなり、画像品位を著しく悪化させている。
【００１０】
そこで本発明は、上記した従来技術の問題点を解決し、高品位な画像性能を得られる偏向ヨークを提供することを目的とする。
【００１１】
【課題を解決するための手段】
本発明は、インライン配置の３本の電子銃を有するカラー受像管に装着されるコイルボビンと、前記コイルボビンに設けられ、前記カラー受像管のネック部から発せられる電子ビームを偏向する磁界を発生する水平偏向コイルおよび垂直偏向コイルとからなる偏向ヨークであって、前記コイルボビンのネック部側に上、下位置に一対の補正コイル装置を設け、各補正コイル装置は上、下に対向して配設された第１、第２のコ字状磁性片の第１のコ字状磁性片に巻回された第１、第３の補正コイルと前記第１、第３の補正コイルと上、下に対向するように前記第２のコ字状磁性片に巻回された第２、第４の補正コイルを備え、前記第１、第２の補正コイルを直列接続し、また前記第３、第４の補正コイルを直列接続し、前記第１、第２の補正コイルの直列接続の一方端には正、負のうちの一方の垂直偏向電流の流れのみを許すダイオードを介して第１の可変抵抗器の一方端と接続し、また前記第３、第４の補正コイルの直列接続の一方端にも正、負のうちの他方の垂直偏向電流の流れのみを許すダイオードを介して前記第１の可変抵抗器の前記一方端と接続し、前記第１の可変抵抗器の他方端は前記垂直偏向コイルと接続し、また前記第１、第２の補正コイルの直列接続と前記第３、第４の補正コイルの直列接続の各々のダイオード接続点の間に第２の可変抵抗器を配設し、その可変端子は抵抗を介して前記垂直偏向コイルと接続し、また前記第１、第２の補正コイルの直列接続と前記第３、第４の補正コイルの直列接続を並列に配設した他方の接続点と前記垂直偏向コイルの間にインダクターコイルと抵抗を直列に配設した。
【００１２】
この構成により、高品位な画像性能を得られる偏向ヨークを実現できる。
【００１３】
請求項１の発明は、インライン配置の３本の電子銃を有するカラー受像管に装着されるコイルボビンと、前記コイルボビンに設けられ、前記カラー受像管のネック部から発せられる電子ビームを偏向する磁界を発生する水平偏向コイルおよび垂直偏向コイルとからなる偏向ヨークであって、前記コイルボビンのネック部側に上、下位置に一対の補正コイル装置を設け、各補正コイル装置は上、下に対向して配設された第１、第２のコ字状磁性片の第１のコ字状磁性片に巻回された第１、第３の補正コイルと前記第１、第３の補正コイルと上、下に対向するように前記第２のコ字状磁性片に巻回された第２、第４の補正コイルを備え、前記第１、第２の補正コイルを直列接続し、また前記第３、第４の補正コイルを直列接続し、前記第１、第２の補正コイルの直列接続の一方端には正、負のうちの一方の垂直偏向電流の流れのみを許すダイオードを介して第１の可変抵抗器の一方端と接続し、また前記第３、第４の補正コイルの直列接続の一方端にも正、負のうちの他方の垂直偏向電流の流れのみを許すダイオードを介して前記第１の可変抵抗器の前記一方端と接続し、前記第１の可変抵抗器の他方端は前記垂直偏向コイルと接続し、また前記第１、第２の補正コイルの直列接続と前記第３、第４の補正コイルの直列接続の各々のダイオード接続点の間に第２の可変抵抗器を配設し、その可変端子は抵抗を介して前記垂直偏向コイルと接続し、また前記第１、第２の補正コイルの直列接続と前記第３、第４の補正コイルの直列接続を並列に配設した他方の接続点と前記垂直偏向コイルの間にインダクターコイルと抵抗を直列に配設した。
【００１４】
請求項２の発明は、前記第１の可変抵抗器により前記第１、第２の補正コイルおよび前記第３、第４の補正コイルに流れる正、負の垂直偏向電流を可変し、画面上下端Ｒｅｄ，Ｂｌｕｅ縦線の横方向のコンバーゼンスのズレを調整し、また前記第２の可変抵抗器により前記第１、第２の補正コイル、および前記第３、第４の補正コイルに流れる垂直偏向電流を差動的に可変し、画面Ｒｅｄ，Ｂｌｕｅ縦線の交差状のコンバーゼンスのズレを調整できるようにした。
【００１５】
上記構成としたことで、画面上側最上端のＹＨワレミスコンを解消し、またダイオードを介さずにＹＨクロスミスコンを補正できることから、８の字状クロスミスコンを抑制することができ、これにより偏向ヨークによる画像品質を著しく向上させることができ、またカラー受像管との組み合わせ生産においても、カラー受像管のバラツキを吸収し、生産性の向上が図れる。
【００１６】
以下、本発明の実施の形態を図面を参照して説明する。図１（ａ）は本発明の一実施の形態における偏向ヨークの上面図、図１（ｂ）は同偏向ヨークの背面図、図２は同偏向ヨークの回路図、図３および図４は同偏向ヨークの補正コイルの説明図である。なお図３および図４は図８中ａ部の実線で示す垂直偏向電流が流れた時の画面上側偏向時における補正コイルから発生される磁束、およびそのときの画面上側垂直軸上の縦線のコンバーゼンスの状態を示している。
【００１７】
図１において、１はセパレーター、２はコア、３は基板である。垂直偏向コイル４ａ，４ｂは、サドル形を成しており、２個のコイルで構成されている。１０ａ，１０ｂは垂直偏向コイル４ａ，４ｂに並列接続されている抵抗、２２，２３は補正コイルに流れる電流を調整する可変抵抗器、１２は可変抵抗器２３に流れる電流を制御する抵抗、１３はバイパス抵抗、５０はインダクターコイル、４０は画面上側偏向時の電流のみを通するダイオード、４１は画面下側偏向時の電流のみを通すダイオード、３０ａ，３０ｂは一方向に４極磁界を発生する補正コイル、３１ａ，３１ｂは他方向に４極磁界を発生する補正コイルで、２個のコイルが直列に接続された各々の補正コイルを並列に接続されている。
【００１８】
以上のような構成において、図８中ａの実線部分の垂直偏向電流が流れたとき、つまり画面上側偏向時の場合の動作について説明する。まず、垂直偏向電流は垂直偏向コイル４ａ，４ｂを通り、可変抵抗器２２側、抵抗１２側、またバイパス抵抗１３側に分流するが、この時可変抵抗器２２の先にあるダイオード４０はそのＯＮするためのしきい値（例えば、０．７Ｖ以下、これをターンオン電圧と呼ぶ）と電子ビームが垂直偏向方向の略中間部まで偏向された時に掛かる電圧と一致するように設定されているため、偏向直後はダイオード４０がＯＮせず、可変抵抗器２２側には電流は流れない。
【００１９】
ここで、抵抗１２側に分流した電流は、可変抵抗器２３に入る。可変抵抗器２３の可変端子が中点にあるときは補正コイル３０ａ，３０ｂ、補正コイル３１ａ，３１ｂに流れる電流は等しい。そのため、図３（ａ）に示すように補正コイル３０ａ，３０ｂ、および補正コイル３１ａ，３１ｂの発生する磁束も等しくなり、図３（ｂ）に示すように画面上側の縦線ミスコンは変化しない。
【００２０】
次に、可変抵抗器２３の可変端子の位置を補正コイル３０ａ，３０ｂ側に移動させたとき、補正コイル３０ａ，３０ｂ側の抵抗が小さくなる。このため、垂直偏向電流は補正コイル３１ａ，３１ｂに流れる電流より、補正コイル３０ａ，３０ｂに流れる電流が大きくなる。そのため、図３（ｃ）に示すように補正コイル３０ａ，３０ｂの発生する磁束が補正コイル３１ａ，３１ｂの発生する磁束より大きくなり、図３（ｄ）に示すように画面上側の縦線ミスコンは、画面中央部より、画面上端部にかけて、赤ビームが青ビームに対して右側にずれるＹＨクロスミスコンとなる。
【００２１】
また、可変抵抗器２３の可変端子の位置を補正コイル３１ａ，３１ｂ側に移動させたとき、補正コイル３１ａ，３１ｂ側の抵抗が小さくなる。このため、垂直偏向電流は補正コイル３０ａ，３０ｂに流れる電流より、補正コイル３１ａ，３１ｂに流れる電流が大きくなる。そのため、図３（ｅ）に示すように補正コイル３１ａ，３１ｂの発生する磁束が補正コイル３０ａ，３０ｂの発生する磁束より大きくなり、図３（ｆ）に示すように画面上側の縦線ミスコンは、画面中央部より、画面上端部にかけて、赤ビームが青ビームに対して左側にずれるＹＨクロスミスコンとなる。
【００２２】
このように、可変抵抗器２３の可変端子の位置を操作することにより、補正コイル３０ａ，３０ｂおよび補正コイル３１ａ，３１ｂに流れる電流を差動的に変化させ、ＹＨクロスミスコンを補正することができる。また、ＹＨクロスミスコンの補正にダイオード４０を介さないため、画面中央部より補正を動作させることができるので、補正されない部分の残った８の字状のクロスミスコンは発生しない。図８中ｂのような垂直偏向電流の流れる、つまり画面下側偏向の場合は、前記と電流方向が逆となるため、補正コイルの発生する磁界が前記と逆方向となることから、可変抵抗器２３の可変端子の位置を操作することにより、画面全体に渡ってのＹＨクロスミスコンの補正とすることができる。
【００２３】
次に、ダイオード４０の両端電圧がターンオン電圧に達し、ダイオード４０がＯＮした場合、分流された垂直偏向電流の一部は可変抵抗器２２を通って、補正コイル３０ａ，３０ｂに流れる。ここで、可変抵抗器２２の可変端子の位置を補正コイル３０ａ，３０ｂ側に移動させたとき、可変抵抗器２２の抵抗値は大きくなるため、垂直偏向電流はバイパス抵抗１３側に多く流れ、補正コイル３０ａ，３０ｂ流れる量は小さくなる。そのため、図４（ａ）に示すように補正コイル３０ａ，３０ｂの発生する磁界は小さくなり、ＹＨ補正が効かないため垂直偏向コイル４ａ，４ｂ本体のミスコンが残り、図４（ｂ）に示すように画面上端で赤ビームが青ビームに対して左側に位置するＹＨピンミスコンとなる。
【００２４】
また、可変抵抗器２２の可変端子の位置を垂直偏向コイル４ａ，４ｂ側に移動させたとき、可変抵抗器２２の抵抗値は小さくなるため、垂直偏向電流の補正コイル３０ａ，３０ｂに流れる量は大きくなる。そのため、図４（ｃ）に示すように補正コイル３０ａ，３０ｂの発生する磁界は大きくなり、ＹＨ補正が大きく効くため、図４（ｂ）に示すように画面上端で赤ビームが青ビームに対して右側に位置するＹＨバレルミスコンとなる。
【００２５】
同様にして、図８中ｂのような垂直偏向電流の流れる、つまり画面下側偏向の場合は、ダイオード４１がＯＮし、前記と同じ可変抵抗器２２の可変端子の位置の操作により、補正コイル３１ａ，３１ｂに流れる電流、およびその発生する磁界を調整できる。補正コイル３１ａ，３１ｂの発生する磁界は、ダイオード４１の整流により補正コイル３０ａ，３０ｂの発生する磁界と同じ方向である。つまり、可変抵抗器２２の可変端子の位置の操作により、画面上端、画面下端のＹＨミスコンを同時に補正することができる。
【００２６】
前記のＹＨミスコン補正の場合、画面上側の最上端は図８のｃ部に示すように、垂直偏向電流のリトレース期間の終点に位置しており、このリトレース期間の急激な電流変化のなかで図１のダイオード４０はＯＮし、補正コイル３０ａ，３０ｂに電流が流れるが、補正コイル３０ａ，３０ｂの構成するインダクタンスと、バイパス抵抗１１によるＲ−Ｌ並列回路の過渡応答により、時定数の大きいインダクタンス側、即ち補正コイル３０ａ，３０ｂに電流が流れにくくなり、図９に示すように画面上側の最上端部のＹＨが補正されない現象、いわゆるＹＨワレミスコンが発生する。そのため、補正コイル３０ａ，３０ｂのインダクタンスとバイパス抵抗１３の構成する並列回路の時定数を一致させるよう、バイパス抵抗１３に直列にインダクターコイル５０を配設する。これにより、垂直偏向電流のリトレース直後の局部的な電流変化を抑えることができ、ＹＨワレミスコンを解消することができる。本偏向ヨークによる実験では、インダクターコイル５０は１８０μＨであった。
【００２７】
【発明の効果】
以上説明したように本発明によれば、従来からＹＨ補正機能を備えた偏向ヨークの課題であった画面上端でのミスコン、また縦線の８の字ミスコンを改善することができ、近年著しく厳しくなってきたコンピューターディスプレイ装置のコンバーゼンス規格に対応できる高品位なインライン型カラー受像管用偏向ヨークを実現することができる。
【図面の簡単な説明】
【図１】（ａ）本発明の一実施の形態における偏向ヨークの上面図
（ｂ）本発明の一実施の形態における偏向ヨークの背面図
【図２】本発明の一実施の形態における偏向ヨークの回路図
【図３】本発明の一実施の形態における偏向ヨークの補正コイルの説明図
【図４】本発明の一実施の形態における偏向ヨークの補正コイルの説明図
【図５】従来のＹＨミスコンを示す図
【図６】従来のＹＨクロスミスコンを示す図
【図７】（ａ）従来の偏向ヨークの回路図
（ｂ）従来の補正コイル図
【図８】従来の垂直偏向回路に流れる電流波形図
【図９】従来の従来のＹＨワレミスコンを示す説明図
【図１０】従来のダイオードがＯＮしない部分を示す説明図
【図１１】従来の８の字状クロスミスコンを示す説明図
【符号の説明】
１  セパレーター
２  コア
３  基板
４ａ，４ｂ  垂直偏向コイル
１０ａ，１０ｂ  抵抗
１１  バイパス抵抗
１２  抵抗
１３  バイパス抵抗
２０，２１，２２，２３  可変抵抗器
３０ａ，３０ｂ  補正コイル
３１ａ，３１ｂ  補正コイル
４０，４１  ダイオード
５０  インダクターコイル
６０  磁性片
【図１】
0003758344.tif 000002
【図２】
0003758344.tif 000003
【図３】
0003758344.tif 000004
【図４】
0003758344.tif 000005
【図５】
0003758344.tif 000006
【図６】
0003758344.tif 000007
【図７】
0003758344.tif 000008
【図８】
0003758344.tif 000009
【図９】
0003758344.tif 000010
【図１０】
0003758344.tif 000011
【図１１】
0003758344.tif 000012